(57)【要約】【課題】従来の引寄せ金物複数個の機能を１個で発揮する引寄せ金物の提供。【解決手段】柱２に固定した係合金物５に引寄せ棒６を貫通・係合させて横架材または基礎側に固定し、引寄せ棒６に螺合させたナット７，８などを係合金物５に係合させた後、これを締め付けることで柱２を横架材に緊結する構造とし、係合金物５と柱面との間に背板９を配置すると共に係合金物５の係合部１１を部分係合部（１１ａ，１１ｂ）に分割し、係合金物５と引寄せ棒６との係合箇所を引寄せ金物１の長手方向に複数個所とする。【選択図】図１
0003129317.tif 000002
【実用新案登録請求の範囲】
【請求項１】
係合金物と、引寄せ棒と、中間ナットと、端部ナット及び背板を備え、係合金物は柱の面に固定する取付け部と引寄せ棒を貫通させて係合できる係合部を一体に備え、係合部は取付け部の長手方向に分割されて複数の部分係合部に形成されると共に、部分係合部間に中間ナット配置用の間隔を有し、引寄せ棒は係合金物の係合部を貫通して柱脚を固定する横架材またはその下部の基礎と結合可能な長さを有し、背板は係合金物の取付け部とほぼ同じ大きさを有して係合金物を柱に固定するとき係合金物の取付け部と柱面との間に配置されるものであり、柱に固定した係合金物の係合部に引寄せ棒を貫通し、引寄せ棒に係合部間の中間ナットと先端の端部ナットに螺合させて、中間ナットと端部ナットを係合部に係合させてあることを特徴とした引寄せ金物。
【請求項２】
係合金物と、引寄せ棒と、中間ナットと、端部ナット及び背板を備え、係合金物は柱の面に固定する取付け部と引寄せ棒を貫通させて係合できる係合部を一体に備え、係合部は取付け部の長手方向に分割されて複数の部分係合部に形成されると共に、部分係合部間に中間ナット配置用の間隔を有し、引寄せ棒は下部引寄せ棒と上部引寄せ棒に分割され、下部引寄せ棒は係合金物の係合部を貫通して中間ナットとに螺合するとともに柱脚を固定する横架材またはその下部の基礎と結合可能な長さを有し、上部引寄せ棒は、上端の係合部に係合する頭部を備えたボルト形で下部を前記中間ナットに螺合されるものであり、背板は係合金物の取付け部とほぼ同じ大きさを有して係合金物を柱に固定するとき係合金物の取付け部と柱面との間に配置されるものであり、係合金物の係合部に下部引寄せ棒を貫通させて係合部間の中間ナットに螺合させるとともに、上端の係合部から貫通させた上部引寄せ棒の下部を前記中間ナットに螺合させ、中間ナットと上部引寄せ棒の頭部を係合部に係合させてあることを特徴とした引寄せ金物。
【請求項３】
中間ナットの雌ねじが内部で下部引寄せ棒用と上部引寄せ棒用に２分されていることを特徴とした請求項２に記載の引寄せ金物。
【考案の詳細な説明】
【技術分野】
【０００１】
この発明は、柱を横架材へ緊結するための金物に関する。
【背景技術】
【０００２】
木造軸組工法住宅では、柱と横架材（土台、梁など）との結合箇所に引寄せ金物を用いて柱の引抜耐力を向上させ耐震性を向上させている。この目的で種々の引寄せ金物（特許文献１〜４）が提案されている。しかし、引張耐力はせいぜい３０ｋＮ前後であり、３階建て住宅の通し柱の柱脚部など、軸組の箇所によって不足することがある。
【０００３】
【特許文献１】特開平１０−１４７９８１号公報
【特許文献２】特開２００３−３１３９４８号公報
【特許文献３】特開２００３−３０６９７４号公報
【特許文献４】特開２００１−２４１１１５号公報
【考案の開示】
【考案が解決しようとする課題】
【０００４】
従来の引寄せ金物であっても複数個を用いれば引張耐力を満足することができる。しかし、従来の引寄せ金物は同じものを複数個、柱野一面に用いることが予定されておらず、例えば柱の長手方向に２個連設しようとしても下方のものが邪魔になって正しく取付けることができない。また、柱の幅方向に並列して取付けることは、柱の幅との関係で不可能なことが多い。一方、引寄せ金物を単に縦に長く大型化してビス孔を多く設けても引寄せ棒との係合部が１箇所であると、柱への取付け板部分がめくれるように変形しやすく、信頼性に欠ける。さらに、柱の２面にそれぞれ引寄せ金物を取付けることが場所によって不可能なことがある。
この発明は、従来の引寄せ金物複数個の機能を１個で発揮する引寄せ金物の提供を課題とする。
【課題を解決するための手段】
【０００５】
柱に固定した係合金物に引寄せ棒を貫通・係合させて横架材または基礎側に固定し、引寄せ棒に螺合させたナットなどを係合金物に係合させた後、これを締め付けることで柱を横架材に緊結する構造とし、係合金物と引寄せ棒との係合箇所を引寄せ金物の長手方向に複数個所とする。引寄せ力の増強に伴い背板を用いて、係合金物自体の変形と取付け部が柱に食い込むのを防止する。背板は係合金物の取付け部と柱面との間に配置される。
【考案の効果】
【０００６】
係合部を引寄せ金物の長手方向に分割して複数個の部分係合部としたので金物の幅はそのままで引寄せ金物複数個の構造を備えたものとなる。
長手方向に複数とされた係合部のそれぞれにナットなどによって引抜き棒を係合させるので、１個の引寄せ金物で数個分の引張耐力を得ることができる。
背板を用いるので、引張耐力が増強されても係合金物が柱面へめり込むのを防止することができる。
【実施例】
【０００７】
図１はこの発明による引寄せ金物１を用いて、柱２を土台３へ緊結した構造を示している。土台３は基礎４の頂面にアンカーボルトなどで固定されている。
引寄せ金物１は、図２のように、係合金物５と、引寄せ棒６と、中間ナット７と、端部ナット８及び背板９を備える。
【０００８】
係合金物５は柱２の面に固定する取付け部１０と係合部１１（１１ａ、１１ｂ）を一体に備える（図３ロ）。係合部１１は縦長の円筒状で引寄せ棒６を貫通させ、引寄せ棒６に螺合させたナット（中間ナット７や端部ナット８）を係合できる。係合部１１の断面は前方へ長い小判形であり（図３ハ）、引寄せ棒６の偏りにある程度対応できるようになっている。また、係合部１１は取付け部１０の長手方向に分割されて２個の（２個以上の複数とすることも可能）上方部分係合部１１ａ、下方部分係合部１１ｂに形成されており、上下の部分係合部１１ａ，１１ｂ間に中間ナット配置用の間隔１２を有している。
【０００９】
このような係合金物５は、展開図に合わせて長手方向の軸に対し対称に形取りした鋼板（厚さ３．２ｍｍ）を中央で丸く部分係合部１１ａ，１１ｂを形成し、その左右両側を揃えてリブ兼用の首部１３とし、さらに首部の先端側を左右へ開くように折り曲げて取付け部１０を形成してある。この実施例において係合金物５の全長は２９４ｍｍ、取付け部１０の幅４０ｍｍ、取付け部１０から係合部１１の頂面までの寸法は４５ｍｍ、上下の部分係合部１１ａ，１１ｂのそれぞれの長さは１０２ｍｍである。
【００１０】
取付け部１０にはビス孔１４が等間隔に設けられ、さらに、円筒状の係合部の横腹部分ビスをねじ込む際の干渉を避けるために逃げ凹部１５が形成されている。逃げ凹部１５の深さは部分係合部１１ａ，１１ｂの肉厚を越えるので、部分係合部１１ａ，１１ｂを側面から見るとそれぞれ２個ずつの貫通孔となっている。逃げ凹部１５は、取付け用のビスをできるだけ首部１３の基部近くに配置して引抜力による係合金物５の変形を防止するためである。なお、実施例の引寄せ金物１は使用するビスの種類を選定することで安全見込み５０ｋＮまでの引抜き耐力を発揮できる。
【００１１】
引寄せ棒６は実質的にＭ１６相当のねじ棒であり、係合金物５の係合部１１（１１ａ、１１ｂ）を貫通して柱脚を固定する土台３及びその下部の基礎４と結合可能な長さを有する。この実施例では図１に示すように、基礎４に固定したアンカーボルト１６の上端部（土台３の上面に突出している）に螺合させた長ナット１７と結合できる長さである。引寄せ棒６の両端部には雄ねじ１８ａ，１８ｂが形成され、上部の雄ねじ１８ａは、係合金物５の長さの７０％程度まで形成されている。
中間ナット７は長ナットとしてある。端部ナット８は、通常の六角ナットである。
背板９は厚さ３．２ｍｍの鋼の平板であり、係合金物５の取付け部１０の外形とほぼ同じ大きさを有し、係合金物５の取付け部１０のビス孔１４に合わせてビス孔１９が形成されている。
【００１２】
以上の背板９、係合金物５、引寄せ棒６、中間ナット７及び端部ナット８は、ばらばらの状態で販売することもできるが、施工者の便宜を考え、図４のように一体に組まれた形で販売される。すなわち、背板９と係合金物５は、両面テープあるいは簡単なスポット溶接で分離しない程度に軽く一体に接着しておき、係合金物５の間隔１２に中間ナット７を配置して下方から下方部分係合部１１ｂに引寄せ棒６を差し込んで中間ナット７に螺合させ、中間ナット７を貫通させてさらに上方部分係合部１１ａを貫通させ、その先端部に端部ナット８をゆるく螺合しておく。これにより、各部材が一体にまとめられ、施工者は取扱い易い。また、販売者側としても注文に応じてその場で各部品を取り集めるよりも、部品の梱包忘れを防止することができる。
【００１３】
現場での施工は、土台３から突出したアンカーボルト１６の上端に長ナット１７を螺合して固定し、これに引寄せ金物１の引寄せ棒６の下部を螺合する。ついで、引寄せ棒６の回転を阻止した状態で中間ナット７を回し、背板９と係合金物５の上下位置を定める。位置が決まったら係合金物５の取付け部１０のビス孔１４からビスを差し込んで係合金物５を柱２へビス止めする。背板９は係合金物５と柱面との間に挟まれて固定される。ついで、中間ナット７を締め込んで下方部分係合部１１ｂに係合させ、さらに増す締めして緊締する。そして、最後に引寄せ棒６先端の端部ナット８を締め込んで上方部分係合部１１ａに係合させ緊締する。
【００１４】
以上により、引寄せ金物１により柱２が土台３へ緊結される。この状態で引寄せ金物１の係合金物５は、中間ナット７と端部ナット８を介して２箇所で引寄せ棒６と係合しており、仮に柱２に対して強い引っ張り力が作用しても２箇所で分担して土台３あるいは基礎４へ力を伝えることができ、高い引張耐力を得ることができる。
このとき、部分係合部１１ａ，１１ｂに分担された力は２箇所に分かれて均等に取付け部１０に伝えられ、また、取付け部１０は背板９と共に柱２に固定されているので取付け部１０が荷重でめくれあがってくるということがなく、また、強い引張力が作用しても、背板９により分散されるので、取付け部１０（背板９）が柱２の面にめり込むということがない。
【００１５】
図５は他の実施例を示し、背板９、係合金物５及び中間ナット７を備える。係合金物５は上下の部分係合部１１ａ，１１ｂを有し、間に中間ナット７が配置される間隔１２を有する。この実施例が先の実施例と異なるところは、引寄せ棒６が中間ナット７の箇所で２分され、上部が引寄せボルト２０に形成されているところである。
下部となった引寄せ棒６は、基礎４から突き出しているアンカーボルト１６の上部をそのまま利用することもある。
【００１６】
この構造では係合金物５に背板９を一体に軽く接合したものと中間ナット７及び引寄せボルトの組合せが商品となる。前記アンカーボルト１６を利用した場合の施工は、係合金物５の間隔１２に中間ナット７を配置してアンカーボルト１６の上方からまず下方部分係合部１１ｂを差し込み、中間ナット７を回転させて係合金物５の上下位置を定める。ついで、背板９と係合金物５を共に取付け部１０のビス孔１４からねじ込むビスにより係合金物５を柱２の面に固定し、中間ナット７を締めて下方部分係合部１１ｂに係合させ、緊締する。そして、最後に上部の引寄せボルト２０を中間ナット７にねじ込んで頭部２１を上方部分係合部１１ａに係合させることにより緊締する。
【００１７】
この実施例の中間ナット７を上部と下部でねじの向きが異なる両ねじナットにすると、前記のようにして緊締した後に、中間ナット７を回転することでさらに増す締めをすることができる。
以上、実施例について説明した。係合金物５における部分係合部１１ａ，１１ｂの形態は筒型に限定されず、三角形のステーを備えた棚形を複数段に設けたものでも良い。また、横断した円筒（パイプ）を取付け部１０に溶接により一体としたものであっても良い。
より大きな引張耐力のものを得るには、取付け部１０を長くしてビス孔１４の数を増し、また、部分係合部（１１ａ，１１ｂ，・・・）の数を増やす。
【図面の簡単な説明】
【００１８】
【図１】取付けた状態で示す側面図。
【図２】分解して示す斜視図。
【図３】イは背板の正面図、ロは係合金物の正面図、ハは係合金物の平面図。
【図４】商品として組みつけてある引寄せ金物の斜視図。
【図５】分解して示す斜視図（他の実施例）。
【符号の説明】
【００１９】
１  引寄せ金物
２  柱
３  土台
４  基礎
５  係合金物
６  引寄せ棒
７  中間ナット
８  端部ナット
９  背板
１０  取付け部
１１  係合部
１１ａ  上方部分係合部
１１ｂ  下方部分係合部
１２  間隔
１３  首部
１４  ビス孔
１５  逃げ凹部
１６  アンカーボルト
１７  長ナット
１８ａ  上部雄ねじ
１８ｂ  下部雄ねじ
１９  ビス孔（背板）
２０  引寄せボルト
２１  頭部
【図１】
0003129317.tif 000003
【図２】
0003129317.tif 000004
【図３】
0003129317.tif 000005
【図４】
0003129317.tif 000006
【図５】
0003129317.tif 000007